(57)【要約】      （修正有）【課題】魚であれば帰港までの時間、野菜であれば荷造りするまでの時間を利用して競りを行うシステムを提供する。【解決手段】競りシステムは、魚を捕獲する漁船、競り参加者、配送車及びこれらと双方向通信可能な競りシステム・プラットフォームからなる。競りシステム・プラットフォームは、漁船からの捕獲した魚の画像情報を受信する通信手段と、受信した画像情報に基づいて競り対象毎に画像を作成する画像作成手段と、漁船が港に帰港するまでの間の時間内で競りの開始及び終了時間を決定する演算手段と、競りの開始及び終了時間とともに競り対象毎に作成した画像を競り参加者に送信する通信手段と、競り参加者からの競り金額情報を受信して落札者を決定する演算手段と、競りの結果を競り参加者に送信すると共に配送車に落札者情報を送信する通信手段とを備える。【選択図】図１
2020170277.tif 000002
【特許請求の範囲】
【請求項１】
魚を捕獲する漁船、競り参加者、配送車及びこれらと双方向通信可能な競りシステム・プラットフォームからなる競りシステムであって、
前記競りシステム・プラットフォームは、漁船からの捕獲した魚の画像情報を受信する通信手段、前記受信した画像情報に基づいて競り対象毎に画像を作成する画像作成手段、漁船が港に帰港するまでの間の時間内で競りの開始及び終了時間を決定する演算手段、前記競りの開始及び終了時間とともに前記競り対象毎に作成した画像を競り参加者に送信する通信手段、競り参加者からの競り金額情報を受信して落札者を決定する演算手段、競りの結果を競り参加者に送信すると共に配送車に落札者情報を送信する通信手段とを備えることを特徴とする競りシステム。
【請求項２】
農作物を生産する農家、競り参加者、配送車及びこれらと双方向通信可能な競りシステム・プラットフォームからなる競りシステムであって、
前記競りシステム・プラットフォームは、農家からの生産した農作物の画像情報を受信する送信手段、前記受信した画像情報に基づいて競り対象毎に画像を作成する画像作成手段、農家が生産した農作物を出荷するまでの間の時間内で競りの開始及び終了時間を決定する演算手段、前記競りの開始及び終了時間とともに前記競り対象毎に作成した画像を競り参加者に送信する通信手段、競り参加者からの競り金額情報を受信して落札者を決定する演算手段、競りの結果を競り参加者に送信すると共に配送車に落札者情報を送信する通信手段とを備えることを特徴とする競りシステム。
【請求項３】
請求項１または２に記載の競りシステムにおいて、前記競りシステム・プラットフォームは落札者からの落札金額を受け取り、漁船または農家に落札金額からマージンを差し引いた金額を振り込む金融システムと連携していることを特徴とする競りシステム。
【発明の詳細な説明】
【技術分野】
【０００１】
本発明は、魚や農作物の競りシステムに関する。
【背景技術】
【０００２】
漁師（漁船）や農家などの生産者とリテイナー（小売業者）との間には、卸業者（卸市場）が介在している。そしてこれらの間に冷凍車などを用いて移送する物流システムが構築されている。
【０００３】
上記のシステムを構築する生産者、小売り業者及び配送業者間において生じる問題点を解決する提案が特許文献１乃至特許文献４でなされている。
【０００４】
特許文献１には、オンラインオークションシステムが開示されている。このシステムは、調達に時間を要する物品の提供を入札価格により競る際に、調達過程の最中の物品を仮想在庫品として競売対象とし、調達の進捗状況、及びそれぞれの入札価格を含む入札諸状況情報をオンラインで公開すると共に、新規入札や、既入札の入札価格の変更を、調達過程の最中にもオンラインで受け付けるようにし、所定の条件の範囲では随時、落札者を変更し前記入札諸状況情報を更新するようにしている。
【０００５】
特許文献２には配送車に関する提案がなされている。即ち、配送車全体を冷却するのではなく、生鮮食料品などを小分けして収納できる保冷庫を用意し、この保冷庫に温度センサを取付け、保冷庫内の温度を表示することで異常を検知するようにしている。特にこの先行技術では、消費関連情報を取得する手段、具体的に保冷庫を冷却する冷却機を駆動するバッテリの充電量や充電回数の情報を管理センタが取得し、これらの情報に基づき、バッテリの交換時期を知らせることで、搬送中にバッテリの充電不足に陥らないようにしている。
【０００６】
上記の特許文献２の問題を解消するために特許文献３が提案されている。この特許文献３では、保冷容器（保冷庫）の真空断熱パネルの一部に凹部を設け、この凹部内に温度センサ、バッテリの他に通信部を設け、通信部を介して内部温度を管理センタに送信し、管理センタで一括して全ての保冷容器の管理を行うようにしている。
【０００７】
特許文献４には、低温物流システムと競り市場の品質保持に関し、水産魚介類の商取引の手に渡る競り市における漁獲物の品質保持を図るために、競り市場内に伸縮性を有した中空体よりなる囲壁にて低温ゾーンを形成し、前記囲壁には注排水口と冷風の供給口を設けた構造が提案されている。    
【０００８】
特許文献５には、物流拠点である物流センタ内における商品を管理する物流センタ内商品情報管理システムと、各拠点間を運行する輸送用車両内における商品を管理する輸送用車両内商品情報管理システムと、各店舗内における商品を管理する店舗内商品情報管理システムを備えて構成された物流管理システムが提案されている。
【先行技術文献】
【特許文献】
【０００９】
【特許文献１】特開２００１−１７５７７２号公報
【特許文献２】特開２００３−３２２４５９号公報
【特許文献３】特開２０１２−１７１７３３号公報
【特許文献４】特開２００３−９７８７８号公報
【特許文献５】特開２００３−５８６１１号公報
【発明の概要】
【発明が解決しようとする課題】
【００１０】
卸業者（卸市場）の存在は、消費者にとっては商品供給の安定化が図れ、生産者にとっては豊漁時や豊作時の値崩れを防ぐことに貢献している。しかしながら、卸業者が介在することによる消費者にとっての価格の上昇および生産者にとっては買い取り価格の低さ、更には市場で保管されている間の鮮度低下の問題がある。
【００１１】
一方、卸業者を通さないインターネットなどを通じた生産者と消費者との直販売（インターネットオークション）は、商品の不達や紛失、不良品の場合の補償や責任の所在が不明確、写真等で見た商品と異なるものが届くなどの問題が生じている。
【００１２】
上記した何れの先行技術も、卸業者が介在することの問題点、卸業者を省いたときの問題点を解決するものではない。特に市場において行う競りは商品の適正価格を決めるものであり、インターネットを介した直取引では価格の高騰や値崩れが生じやすいが、卸業者（卸市場）を省いた場合の競りをどのようにするかの解決策は何ら示されていない。
【００１３】
ネットオークションなどでは、競りの開始時間と終了時間に関しては、予定の出品数が揃った時点で開始するなどの開示はあるが、魚や農作物の特徴を活かした提案はなされていない。
【課題を解決するための手段】
【００１４】
上記の課題を解決するため本願の第１発明に係る魚の競りシステムは、魚を捕獲する漁船、競り参加者、配送車及びこれらと双方向通信可能な競りシステム・プラットフォームからなり、前記競りシステム・プラットフォームは、以下の手段を有する。
漁船からの捕獲した魚の画像情報を受信する通信手段、前記受信した画像情報に基づいて競り対象毎に画像を作成する画像作成手段、漁船が港に帰港するまでの間の時間内で競りの開始及び終了時間を決定する演算手段、前記競りの開始及び終了時間とともに前記競り対象毎に作成した画像を競り参加者に送信する通信手段、競り参加者からの競り金額情報を受信して落札者を決定する演算手段、競りの結果を競り参加者に送信すると共に配送車に落札者情報を送信する通信手段。
【００１５】
また、第２発明に係る農作物の競りシステムは、農作物を生産する農家、競り参加者、配送車及びこれらと双方向通信可能な競りシステム・プラットフォームからなり、前記競りシステム・プラットフォームは、以下の手段を有する。
農家からの生産した農作物の画像情報を受信する通信手段、前記受信した画像情報に基づいて競り対象毎に画像を作成する画像作成手段、農家が生産した野菜を出荷するまでの間の時間内で競りの開始及び終了時間を決定する演算手段、前記競りの開始及び終了時間とともに前記競り対象毎に作成した画像を競り参加者に送信する通信手段、競り参加者からの競り金額情報を受信して落札者を決定する演算手段、競りの結果を競り参加者に送信すると共に配送車に落札者情報を送信する通信手段。
【００１６】
前記第１、第２発明において、配送車へ指示した後の処理、具体的には落札金額の受け取りと、漁師（漁船）や農家への支払いまで競りシステム・プラットフォームで行うようにしてもよい。
【発明の効果】
【００１７】
本発明によれば、フィジカル空間で実際に捕獲した魚あるいは生産した農作物を、インターネットのサイバー空間（仮想空間）にデジタルツインとして再現し、サイバー空間において競りを行うため、競り参加者は卸市場まで出向くことなく競りに参加でき、無駄な時間と作業を省くことができる。競りは仮想空間で行うため、参加者に地理的不利や時間的な制約がなくなり、全国規模の競りを行うことができる。
【００１８】
魚の競りにあっては、漁船が帰港するまでの時間を利用し、農作物にあっては畑などから作物を収穫した後で梱包するまでの時間を利用して競りを行うようにした。帰港するまでの時間や梱包に要する時間は必ず必要な時間であり、この時間を利用して競りを行うことで、競りにかける時間を実質ゼロと看做すことができる。更に、競りにかける時間を利用して配送車はジャストオンタイムで荷物を受取ることも可能であり、更に効率的である。
【００１９】
また、取引形態として卸業者が介在しないため、その分、消費者に届く商品の価格が安くなる。更に画像で商品を特定することで、商品のトレーサビリティが確実に行え、商品の不達や不良品の場合の補償、責任が明確になる。
【００２０】
魚や農作物が市場に滞留しないため、市場での保存不良や品質劣化が生じることがない。また、情報の授受をブロックチェーンなどを利用して行うことで、改竄を阻止し安全性を高めることができる。
【００２１】
本発明では競りを効率的に行うだけでなく、競りの後処理、具体的には商品の配送から落札した後の支払い手続きまでも競りシステム・プラットフォームを介して一元化できるため、漁師、農家及び競り参加者の全てにとって便利なシステムである。
【図面の簡単な説明】
【００２２】
【図１】本発明に係る競りシステムを魚に適用した例を示す図
【図２】本発明に係る競りシステムを魚に適用した例のフローチャート
【図３】魚に適用した競りシステムのサイトに表示される競りシートの詳細画像
【図４】本発明に係る競りシステムを農作物に適用した例を示す図
【図５】本発明に係る競りシステムを農作物に適用した例のフローチャート
【図６】農作物に適用した競りシステムのサイトに表示される競りシートの詳細画像
【発明を実施するための形態】
【００２３】
本発明に係る競りシステムを魚の競りに適用した例は、図１に示すように、クラウドコンピュータなどに構築される競りシステム・プラットフォーム１、この競りシステム・プラットフォーム１とインターネットなどを介して双方向通信可能な漁船２、競り参加者３及び配送車４によって構成される。
【００２４】
競りシステム・プラットフォーム１には、通信手段５、画像処理手段６、演算手段７、記憶信手段８などが組み込まれている。通信手段５は漁船２、競り参加者３及び配送車４からの情報を受信するとともに漁船２、競り参加者３及び配送車４に必要な情報を送信する。
【００２５】
画像処理手段６は、漁船２から送られてきた捕獲した魚の画像（静止画または動画）を処理する。例えば漁船２から送られてきた画像に複数の魚種が含まれている場合には、競りにかける魚がどれか分かるように処理する。
【００２６】
演算手段７は競りに必要な各種計算や推察を行い、記憶信手段８には登録した競り参加者の情報、配送車の情報、過去の競りの結果などが記録される。
【００２７】
図２は、本システムのフローチャートである。先ず、競りシステム・プラットフォーム１の漁船２からの受信情報としては、捕獲した魚（イカ、タコ、エビ、貝なども含む）の映像、大きさ、数（重さ）、帰港地、帰港日時などである。
【００２８】
次いで、画像処理手段６では、捕獲した魚の中から競りにかける魚ごとに静止画または動画を作成する。例えば、Provenance Project Provenance Ltd が販売している「Provenance」を利用することができる。このシステムはブロックチェーンのトランザクションとして画像データを組み込んでいる。
【００２９】
作成した画像は競りシートに組み込まれて配信される。競りシートの具体例を図３に示す。競りシートには、競りごとの番号、競りにかけられた魚の画像、魚の種類、大きさ（重さ、数）、競りの開始及び終了時間、最低入札価格、帰港地、入札価格欄、競り参加者名（略号）欄が挙げられる。最低入札価格はシステム管理者によって決定する。
【００３０】
競りシートに記載された番号と競りにかけられた魚が入った箱とは同じ番号とし、後に配送車４に積み込む際に間違えないようにする。また、競りシートには送信ボタンが設けられ、入札価格欄に入札金額を書き込んで送信ボタンをクリックすることで、システム・プラットフォーム１に送信される。
【００３１】
演算手段７では、漁船２の現在位置と帰港地から復路に係る時間を割り出して競りの開始及び終了時間を決定したり、競り参加者の入札金額を比較して最も高値を付けた参加者を決定する。
【００３２】
送信手段８では、競りの結果を競り参加者全員に送信し、且つ落札者にはその旨と入金の依頼を通知する。システム管理者が入金から漁船への支払いを代行する場合には振込口座名も通知する。
【００３３】
競り参加者への送信と並行して配送車４にも送信する。送信内容は競り落とされた魚が入っている箱の番号と、当該魚を競り落とした者の情報（氏名・住所・電話番号など）である。尚、競りシステム・プラットフォーム１の管理者は、複数の配送車の位置を把握しておき、漁船２が入港する時間に合わせて配送車４がジャストオンタイムで港に到着するようにすれば、時間の配分に全く無駄のない物流システムとなる。
【００３４】
尚、競りシステム・プラットフォーム１の演算手段7では、配送車４の効率を高めるため、同一方向の落札者が落札した品を1台の配送車に搭載するように、配送の最適化を計算する。
【００３５】
図４は、本発明に係る競りシステムを農作物の競りに適用した例を示し、前記実施例と同じ構成要素については同じ番号を付し、説明を省略する。この実施例では、漁船ではなく農家１０が競りシステムを構成する。
【００３６】
図５のフローチャートに示すように、システム・プラットフォーム１の受信手段５が農家１０から競りへの出品情報を受信する。出品情報としては、生産した農作物の画像、農作物の種類、大きさ、数（重さ）、糖度、出荷予定日時などである。
【００３７】
農家からの出品情報に基づき、画像処理手段６では、生産した農作物の競りごとの静止画または動画を作成し、これを競りシートに張り付ける。競りシートの具体例は図６に示すように、競りごとの番号、競りにかけられた農作物の画像、種類、大きさ（重さ、数）、糖度、競りの開始及び終了時間、最低入札価格、入札価格欄、競り参加者名（略号）欄が挙げられる。最低入札価格はシステム管理者によって決定する。
【００３８】
システム・プラットフォーム１の管理者（演算手段７）は、農家における出荷までの準備時間内で競りの開始及び終了時間を決定する。ここで、出荷までの準備時間には果物であれば木からもぎ取った後、畑作物であれば畑から抜いた後の梱包までの時間を指す。未だ木になっている状態や畑に植わっている状態では、画像として正確に見ることができなかったり、その後に農作物が傷ついたりすることもあるため、出来るだけ出荷に近い時間帯を競り時間とする。
【００３９】
また演算手段７は、競り参加者の入札金額を比較して最も高値を付けた参加者を決定する。落札者には送信手段８から落札の連絡と入金依頼を通知する。
【００４０】
競り参加者への送信と並行して配送車４にも送信する。送信内容は競り落とされた農作物が入っている箱の番号と、当該農作物を競り落とした者の情報（氏名・住所・電話番号など）である。また前記同様、同一方向の落札者が落札した品を1台の配送車に搭載するように、配送の最適化を計算する。
【００４１】
尚、最低入札価格を上回る入札金額がない場合には、最低入札価格を決定したシステム管理者が落札者となることも可能である。
【符号の説明】
【００４２】
１…競りシステム・プラットフォーム、２…漁船、３…競り参加者、４…配送車、５…受信手段、６…画像処理手段、７…演算手段、８…送信手段、１０…農家。
【図１】
2020170277.tif 000003
【図２】
2020170277.tif 000004
【図３】
2020170277.tif 000005
【図４】
2020170277.tif 000006
【図５】
2020170277.tif 000007
【図６】
2020170277.tif 000008